(57)【特許請求の範囲】
【請求項１】
投入された現金を鑑別して入金取引を実行する現金処理装置において、
担当者からの指示入力を受付ける入力手段と、
硬貨の投入を行う硬貨入金部と、
前記硬貨入金部に投入された投入硬貨を一時保留する硬貨一時保留部と、
投入硬貨を収納する硬貨収納庫と、
出金処理時および返却処理時に硬貨を集積する硬貨出金箱と、
返却処理時に硬貨を集積する硬貨返却箱と、を設け、
１回目の入金処理で、入金取引の完了前に、前記入力手段から前記入金取引の取消指示が入力された場合であって、前記硬貨一時保留部に投入硬貨が存在し、前記硬貨収納庫に投入硬貨が存在しない場合は、前記硬貨一時保留部に集積された投入硬貨を前記硬貨一時保留部から前記硬貨返却箱へ搬送して返却し、
追加入金による２回目以降の入金処理で、前記入金取引の取消指示が入力された場合であって、前記硬貨一時保留部と前記硬貨収納庫にそれぞれ投入硬貨が存在する場合は、前記硬貨一時保留部に集積された投入硬貨を前記硬貨収納庫に集積した後に、前記硬貨収納庫から前記硬貨出金箱へ搬送して返却することを特徴とする現金処理装置。
【発明の詳細な説明】
【技術分野】
【０００１】
本発明は、商業施設等に設置され、レジスタで使用される現金の出金処理や、レジスタから回収する現金の入金処理等を行う現金処理装置に関する。
【背景技術】
【０００２】
従来の現金処理システムは、管理サーバと複数の現金処理装置とを通信ネットワークを介して接続し、管理サーバは、各現金処理装置と連携することで、各現金処理装置による処理結果等を管理しており、取引処理の開始前に、認証データベースに格納されたユーザ識別情報やユーザ権限情報によって、現金処理装置から送信されたユーザＩＤを基にそのユーザを認証（オンライン認証）してそのユーザ権限情報を現金処理装置へ送信し、現金処理装置は受信したユーザ権限情報を基に、ユーザが実行可能なメニュー画面を表示し、ユーザが連携入金を選択すると、現金処理装置は連携入金における入金処理を行い、その処理結果等を管理サーバに登録している。
【０００３】
また、通信ネットワークに通信障害が生じて、オンライン認証を行うことができなかった場合、現金処理装置はその認証部によって、入力されたユーザＩＤを基に当該ユーザを認証（オフライン認証）して、単独で入金処理を実行している（例えば、特許文献１参照。）。
【先行技術文献】
【特許文献】
【０００４】
【特許文献１】特開２０１３−１４５４８９号公報（段落００２１−００４０、第３図、第４図、第５図）
【発明の概要】
【発明が解決しようとする課題】
【０００５】
しかしながら、上述した従来の技術においては、オンラインによる連携入金における入金処理において、処理結果等を管理サーバに登録しているが、管理サーバとの交信中に、通信ネットワークに通信障害が発生した場合には、管理サーバへの処理結果の登録ができないため、現金処理装置に投入された現金（紙幣および硬貨）をレジスタの担当者（レジ担当者という。）に返却する必要が生じる。
また、レジ担当者が、入金計数後の計数結果確認画面で取引取消を選択した場合には、現金処理装置に投入された投入現金をレジ担当者に返却する必要が生じる。
【０００６】
具体的には、連携入金において、売上金等の大量の現金を入金する場合は、現金投入部（紙幣入出金部、硬貨入金部）の収容量に制限があるため、最初の現金投入による入金処理に続けて、残った現金を追加入金することが必要になる。
この追加入金のときは、最初の入金処理で、現金一時保留部（紙幣一時保留部、硬貨一時保留部）に一時保留された投入現金を現金一時保留部から現金収納庫（紙幣収納庫、硬貨収納庫）に搬送して現金一時保留部を一旦空にした後に、追加入金のための現金の投入を受付けて追加入金の入金処理を実行し、空にした現金一時保留部に追加入金時の投入現金が一時保留される。
【０００７】
この追加入金による２回目以降の入金処理において、追加投入された現金の鑑別、計数後に、現金一時保留部に一時保留した後に、計数結果確認画面を表示したときに、取引取消が指示された場合は、現金一時保留部と現金収納庫に集積されている投入現金をレジ担当者に返却する返却処理を実行することが必要になる。
【０００８】
この追加入金時の取引取消による返却処理において、紙幣処理部では、紙幣一時保留部および紙幣収納庫の投入紙幣は、紙幣入出金部に集積してレジ担当者に返却されるが、硬貨処理部では、硬貨一時保留部の投入硬貨は硬貨返却箱に、硬貨収納庫の投入硬貨は硬貨出金箱に集積して２箇所からレジ担当者に返却されるため、投入硬貨の返却時に、レジ担当者は２箇所から投入硬貨を取出すことが必要になり、レジ担当者の負担が増大すると共に、返却硬貨の取忘れが発生する場合があるという問題がある。
また、追加入金時の取引取消による返却処理中に、ジャム等の搬送障害が発生し、レジ担当者への返却処理が終了しなかった場合は、障害発生のタイミングによって現金の取扱に違いが生じるため、以下のような問題が生じる。
【０００９】
すなわち、現金一時保留部内の投入現金は、装置外の現金として取扱われ、入金確定後に現金一時保留部から現金収納庫へ搬送中の投入現金および現金収納庫に収納された投入現金は、装置内の現金として取扱われる。
このため、紙幣一時保留部から紙幣入出金部へ搬送中の返却紙幣および、硬貨一時保留部から硬貨返却箱へ搬送中の返却硬貨は、装置外の現金であるため、保守担当者は、ジャム現金の除去後に、除去現金をレジ担当者に手渡しで戻すことになる。
【００１０】
また、紙幣収納庫から紙幣入出金部へ搬送中の返却紙幣および、硬貨収納庫から硬貨出金箱へ搬送中の返却硬貨は、装置内の現金であるため、除去後に現金収納庫に戻すことが必要になるため、レジ担当者は、未返却の現金を管理者から手払代行（詳細は後述）で受取り、保守担当者は、現金処理装置の復旧後に、それぞれの現金投入部に、除去現金を再投入してそれぞれの現金収納庫に戻すことになる。
つまり、搬送障害の発生部位によって除去現金の戻し先が、レジ担当者または現金収納庫と異なるため、保守担当者が戻し先を間違えると、混乱が生じる場合があるという問題がある。
【００１１】
更に、保守担当者によるジャム現金の除去作業において、紙幣処理部における返却処理では、返却紙幣を、紙幣一時保留部から紙幣入出金部へ、および紙幣収納庫から紙幣入出金部へ搬送しており、これら返却紙幣の紙幣搬送路には共用している部分が存在するため、保守担当者は、この共用搬送路から除去した投入紙幣が、いずれに属するかを見極めることが困難になり、保守担当者の負担が増大するという問題がある。
本発明は、上記の問題点を解決するためになされたもので、返却した現金の取忘れを防止すると共にレジ担当者や保守担当者等の担当者の負担を軽減する手段を提供することを目的とする。
【課題を解決するための手段】
【００１２】
本発明は、上記課題を解決するために、投入された現金を鑑別して入金取引を実行する現金処理装置において、担当者からの指示入力を受付ける入力手段と、硬貨の投入を行う硬貨入金部と、前記硬貨入金部に投入された投入硬貨を一時保留する硬貨一時保留部と、投入硬貨を収納する硬貨収納庫と、出金処理時および返却処理時に硬貨を集積する硬貨出金箱と、返却処理時に硬貨を集積する硬貨返却箱と、を設け、１回目の入金処理で、入金取引の完了前に、前記入力手段から前記入金取引の取消指示が入力された場合であって、前記硬貨一時保留部に投入硬貨が存在し、前記硬貨収納庫に投入硬貨が存在しない場合は、前記硬貨一時保留部に集積された投入硬貨を前記硬貨一時保留部から前記硬貨返却箱へ搬送して返却し、追加入金による２回目以降の入金処理で、前記入金取引の取消指示が入力された場合であって、前記硬貨一時保留部と前記硬貨収納庫にそれぞれ投入硬貨が存在する場合は、前記硬貨一時保留部に集積された投入硬貨を前記硬貨収納庫に集積した後に、前記硬貨収納庫から前記硬貨出金箱へ搬送して返却することを特徴とする。
【発明の効果】
【００１３】
これにより、本発明は、投入現金の返却場所をそれぞれ１箇所とすると共に、返却現金の搬送時に搬送障害が発生した場合に、除去現金の戻し先を統一することができ、返却現金の取忘れを防止することができると共に担当者の負担を軽減することができるという効果が得られる。
【図面の簡単な説明】
【００１４】
【図１】実施例の現金入出金装置を示すブロック図
【図２】実施例の現金入出金装置を示す説明図
【図３】実施例の連携入金における入金処理を示すフローチャート
【発明を実施するための形態】
【００１５】
以下に、図面を参照して本発明による現金処理装置の実施例について説明する。
【実施例】
【００１６】
以下に、図１ないし図３を用いて本実施例の現金入出金装置について説明する。
本実施例の現金処理システムは、図１に示すように、百貨店やスーパーマーケット、コンビニエンスストア等の商業施設等の店舗のフロア等のバックヤードに設置された、現金処理装置としての現金入出金装置１と、複数の現金入出金装置１の入金金額や出金金額、装置内の有高等の管理を行う管理サーバ２と、を通信ネットワーク３で接続して構成される。
【００１７】
現金入出金装置１は、レジ担当者や管理者が操作して店舗の売場に設置されている複数のレジスタへ予め収納する釣銭（釣銭準備金という。）の出金処理やレジスタから回収された現金の入金処理等を実行する機能を有しており、図１、図２に示すように、主制御部４、記憶部５、操作表示部６、カードリーダ７、印刷部８、紙幣処理部１０、硬貨処理部２０等を備えている。
主制御部４は、現金入出金装置１の紙幣処理部１０や硬貨処理部２０等の各部を制御して管理サーバ２と連携して入金処理や入金取消後の返却処理、出金処理等を実行する。
【００１８】
記憶部５は、主制御部４が実行するプログラムや主制御部４による処理結果等が格納される。
操作表示部６は、ＬＣＤ等の表示画面と、表示画面に設けたタッチパネル等の入力手段とを備えており、表示画面に、レジ担当者等が入金処理や出金処理等を行うことを指示するための指示ボタン等を表示してレジ担当者等からの入力を受付ける機能や、装置の状態等を表示する機能等を有している。
【００１９】
カードリーダ７は、レジ担当者や保守担当者が携帯する担当者カードをパスさせたときに、そのＩＣチップや磁気ストライプに記録されている担当者ＩＤ等のカード情報を読取る機能を有している。
印刷部８は、プリンタ等を備えており、現金入出金装置１による入金処理や出金処理の金額等の取引結果をレシートに印刷して排出する機能を有している。
紙幣処理部１０は、図１、図２に示すように、制御部１１、紙幣入出金部１２、紙幣鑑別部１３、紙幣一時保留部１４、紙幣収納部１５、退避庫１６、紙幣リジェクト庫１７、施封部１８、紙幣搬送路１９等で構成される。
【００２０】
制御部１１は、記憶エリア１１ａを有しており、主制御部４からの指令により、紙幣処理部１０内の各部を制御して紙幣の計数や収納、入金取引の取引取消後の返却、出金等の各種の処理動作を制御する。
この記憶エリア１１ａには、紙幣一時保留部１４に集積した紙幣の枚数を金種別にカウントするための保留紙幣枚数カウントエリア、紙幣収納庫１５に収納した紙幣の枚数を金種別にカウントするための収納紙幣枚数カウントエリア等が予め確保されている。
【００２１】
現金入金部および現金排出部としての紙幣入出金部１２は、紙幣処理部１０の前面側（図２において右側）に設けられ、レジ担当者等が一括投入した投入紙幣を１枚毎に繰出す繰出機構および、入金取引における取引取消時の返却紙幣、入金処理時の入金リジェクト紙幣、出金処理時にレジ担当者等へ引渡す釣銭準備金等の出金紙幣を集積する集積機構が設けられている。
【００２２】
紙幣鑑別部１３は、搬送された紙幣の真偽、正損、金種等を鑑別して金種別に計数する機能等を有している。
集積部としての紙幣一時保留部１４は、入金処理における入金計数処理時等に、紙幣入出金部１２に投入され、紙幣鑑別部１３で正券と鑑別された紙幣を集積して一時保留するための集積機構、一時保留した紙幣を１枚毎に繰出す繰出機構が設けられている他、紙幣一時保留部１４内の紙幣の存在を検知する残留検知センサが設けられている。
【００２３】
集積部としての紙幣収納庫１５は、現金入出金装置１に着脱可能に装着された金庫であって、売上金等として入金された金種の紙幣（本実施例では千券、５千券、万券）を金種別に収納する複数の紙幣収納庫１５、つまり、千円紙幣を収納する千券収納庫１５ａ、５千円紙幣を収納する５千券収納庫１５ｂ、１万円紙幣を収納する万券収納庫１５ｃを備えており、金種別の各紙幣収納庫１５ａ〜１５ｃは、それぞれ、入金処理における収納処理時等に、紙幣鑑別部１３で正券と鑑別され紙幣一時保留部１４から搬送された紙幣を内部に収納する集積機構、出金処理時等に収納された紙幣を１枚毎に繰出す繰出機構が設けられている。
なお、釣銭準備金を出金するときは、その金種の紙幣（本実施例では千券、５千券）を収納している千券収納庫１５ａ、５千券収納庫１５ｂから紙幣が繰出される。
【００２４】
退避庫１６は、現金入出金装置１に着脱可能に装着された金庫であって、各紙幣収納庫１５ａ〜１５ｃ、つまり千券収納庫１５ａ、５千券収納庫１５ｂ、万券収納庫１５ｃに収納された紙幣の枚数を金種別に計数する自動計数処理時に、計数する金種を収納した紙幣収納庫１５から繰出され、紙幣鑑別部１３で鑑別、計数された紙幣を搬送して一時退避させる金庫であって、搬送された紙幣を内部に集積する集積機構、自動計数処理時に一時退避させた紙幣を元の紙幣収納庫１５に戻すときに紙幣を１枚毎に繰出す繰出機構が設けられている。
【００２５】
紙幣リジェクト庫１７は、入金処理時に紙幣一時保留部１４から紙幣鑑別部１３へ搬送され、または、出金処理時に紙幣収納庫１５から紙幣鑑別部１３へ搬送され、または、自動計数処理時に紙幣収納庫１５から紙幣鑑別部１３へ搬送され、紙幣鑑別部１３で重送等と鑑別されたリジェクト紙幣等の集積先であって、レジ担当者等によるアクセスが可能なように構成されており、搬送された紙幣を内部に集積する集積機構が設けられている。
施封部１８は、搬送された施封対象の紙幣を規定枚数（本実施例では、１００枚）集積する集積機構を有する施封紙幣集積部１８ａ、施封紙幣集積部１８ａから束のまま搬送された紙幣を結束帯で結束する紙幣結束部１８ｂ、結束帯で結束された紙幣束を排出する紙幣束出金口１８ｃ等で構成されている。
【００２６】
紙幣搬送路１９は、図２に破線で示す搬送経路によって、紙幣処理部１０内の各部の間を接続する搬送路であって、紙幣搬送路１９の各分岐部には紙幣の搬送方向を切替える図示しない切替機構が設けられ、紙幣搬送路１９と上記各部との接続部、および紙幣搬送路１９の適切な部位には、紙幣の通過を検知する図示しない紙幣検知センサ等が設けられている。
硬貨処理部２０は、図１、図２に示すように、制御部２１、硬貨入金部２２、硬貨鑑別部２３、硬貨選別部２３ａ、硬貨一時保留部２４、硬貨収納庫２５、硬貨リジェクト口２６、硬貨出金箱２７、硬貨返却箱２８、搬送シュート２９等で構成される。
【００２７】
制御部２１は、記憶エリア２１ａを有しており、主制御部４からの指令により、硬貨処理部２０の各部を制御して硬貨の計数や収納、入金取引の取引取消後の返却、出金等の各種の処理動作を制御する。
この記憶エリア２１ａには、硬貨一時保留部２４に集積した硬貨の枚数を金種別にカウントするための保留硬貨枚数カウントエリア、硬貨収納庫２５に収納した硬貨の枚数を金種別にカウントするための収納硬貨枚数カウントエリア等が予め確保されている。
【００２８】
現金入金部としての硬貨入金部２２は、レジ担当者等が硬貨を一括投入する硬貨投入口２２ａと、硬貨投入口２２ａから投入された硬貨を１枚ずつ繰出す繰出口が設けられた硬貨繰出部２２ｂとで構成される。
硬貨鑑別部２３は、硬貨繰出部２２ｂから繰出された硬貨の真偽、正損、金種等を鑑別して金種別に計数する機能等を有している。
【００２９】
硬貨選別部２３ａは、硬貨鑑別部２３での鑑別結果に基づいて硬貨を搬送しながら選別する搬送路であって、硬貨搬送方向の上流側から図示しないリジェクト口、金種別の選別口が順に配置されており、リジェクト口および各選別口には、それぞれの開口を開閉する選別ゲートが設けられており、硬貨鑑別部２３での鑑別結果に応じて、該当する選別口の選別ゲートを開作動させて、金種別の搬送シュート２９ａを介して硬貨一時保留部２４へ落下させる機能を有している。
【００３０】
集積部としての硬貨一時保留部２４は、入金処理における入金計数処理時等に、硬貨鑑別部２３で正常貨と鑑別され、硬貨選別部２３ａから金種別の搬送シュート２９ａを介して落下させた硬貨を金種別に集積して一時保留すると共に、切替ゲート２４ｂにより搬送方向を切替えて、一時保留した硬貨を硬貨収納庫２５や硬貨返却箱２８へ落下させる機能を有している。また、硬貨一時保留部２４には、内部に存在する硬貨を検知する残留検知センサが設けられている。
【００３１】
集積部としての硬貨収納庫２５は、現金入出金装置１に着脱可能に装着された金庫であって、入金処理における収納処理時等に、硬貨鑑別部２５で正常貨と鑑別され、硬貨選別部２３ａを経由して硬貨一時保留部２４に金種別に一時保留した硬貨で、釣銭準備金等として出金する金種（本実施例では５００円、１００円、５０円、１０円、５円、１円）の硬貨を金種別に収納する金種別収納部を備えており、各金種別収納部には、硬貨一時保留部２４から切替ゲート２４ｂを介して落下する硬貨を導く金種毎の搬送シュート２９ｂが接続しており、出金処理時等に収納している硬貨を１枚毎に繰出す繰出機構が設けられている。
【００３２】
硬貨リジェクト口２６は、硬貨鑑別部２３で偽貨や外国硬貨、著しい汚損貨等と鑑別され、硬貨選別部２３ａのリジェクト口から搬送シュート２９ｃを介して落下させた入金リジェクト硬貨の集積先であって、集積された入金リジェクト硬貨はレジ担当者等に返却される。
【００３３】
現金排出部としての硬貨出金箱２７は、現金入出金装置１に着脱可能に装着された収納箱であって、釣銭準備金等の出金処理のとき、および返却処理時に収納済みの投入硬貨が存在する場合に、硬貨収納庫２５の各金種別収納部から繰出され、搬送シュート２９ｄを介して落下させた硬貨が金種別に集積される。
【００３４】
硬貨返却部としての硬貨返却箱２８は、現金入出金装置１に着脱可能に装着された収納箱であって、計数処理時の計数済硬貨、１回目の入金処理における取引取消時の返却硬貨（詳細は後述する。）を、硬貨一時保留部２４から切替ゲート２４ｂを介して搬送シュート２９ｅにより落下させた硬貨を金種別に集積する。
搬送シュート２９は、図２に破線で示す搬送経路によって、硬貨処理部２０内の各部の間を接続するシュートであって、各搬送シュート２９と上記各部との接続部、および搬送シュート２９の適切な部位には、硬貨の通過を検知する図示しない硬貨検知センサ等が設けられている。
【００３５】
以下に、図３に示すフローチャートを用い、Ｓで示すステップに従って、本実施例の現金入出金装置１による連携入金における入金処理について説明する。
なお、本実施例の紙幣処理部１０の記憶エリア１１ａの収納紙幣枚数カウントエリア、および硬貨処理部２０の記憶エリア２１ａの収納硬貨枚数カウントエリアには、前回までに各現金収納庫に収納した現金の金種別の枚数に相当するカウント数が格納されている。
【００３６】
レジスタにおける売上金等の入金を行うレジ担当者等が、携帯している担当者カードをカードリーダ７にパスさせると、現金入出金装置１の主制御部４は、カードリーダ７によって担当者カードに記録されている担当者ＩＤ等のカード情報を読取ると共に、操作表示部６の表示画面にパスワードの入力画面を表示し、レジ担当者等は操作表示部６によってパスワードを入力する。
【００３７】
このパスワードの入力を受付けた主制御部４は、カード情報の担当者ＩＤと入力されたパスワードを管理サーバ２へ送信し、管理サーバ２は受信した担当者ＩＤを基に、図示しない記憶部に格納している担当者登録情報から該当する担当者ＩＤのパスワード等を抽出し、抽出した担当者登録情報のパスワードと受信したパスワードとの一致によりレジ担当者の正当性を判定し、レジ担当者を認証した旨と当該レジ担当者が操作を許可されている業務の内容を送信元の現金入出金装置１へ送信する。
【００３８】
これを受信した現金入出金装置１の主制御部４は、紙幣処理部１０の制御部１１および硬貨処理部２０の制御部２１へ、それぞれの保留枚数のカウント数を初期化するための保留枚数初期化要求を送信する。
保留枚数初期化要求を受信した紙幣処理部１０の制御部１１は、記憶エリア１１ａの保留紙幣枚数カウントエリアのカウント数を「０」にして初期化し、主制御部４へ保留紙幣枚数初期化終了通知を送信する。
【００３９】
また、保留枚数初期化要求を受信した硬貨処理部２０の制御部２１は、記憶エリア２１ａの保留硬貨枚数カウントエリアのカウント数を「０」にして初期化し、主制御部４へ保留硬貨枚数初期化終了通知を送信する。
紙幣処理部１０および硬貨処理部２０からの初期化終了通知を受信した主制御部４は、操作表示部６の表示画面に当該レジ担当者が操作を許可されている業務の内容を表示したメニュー画面を表示し、レジ担当者等は、表示されたメニュー画面から「連携入金」の選択ボタンを押下する。
【００４０】
Ｓ１：選択ボタンの押下により連携入金における入金処理の実行を認識した主制御部４は、操作表示部６の表示画面に、紙幣入出金部１２への紙幣の一括投入および、硬貨入金部２２への硬貨の一括投入を誘導する旨の文言を表示した入金誘導画面を表示してステップＳ２へ移行する。
Ｓ２：入金誘導画面を表示した主制御部４は、紙幣処理部１０の制御部１１および硬貨処理部２０の制御部２１へ、連携入金の入金処理における入金計数処理の実行指令を送信する。
【００４１】
入金計数処理の実行指令を受信した紙幣処理部１０の制御部１１は、投入紙幣の入金計数処理を実行する。
すなわち、制御部１１は、紙幣入出金部１２への紙幣の投入を待って待機し、レジ担当者が、入金すべき紙幣を紙幣入出金部１２に一括投入すると、これを認識した制御部１１は、紙幣入出金部１２の繰出機構により、投入紙幣を１枚ずつ紙幣搬送路１９へ繰出して紙幣鑑別部１３へ搬送し、紙幣鑑別部１３によって紙幣の真偽、金種等を鑑別する。
【００４２】
紙幣鑑別部１３による鑑別結果が正券の場合、制御部１１は、当該紙幣を紙幣搬送路１９によって紙幣一時保留部１４へ搬送して集積すると共に、鑑別された金種を基に、記憶エリア１１ａの保留紙幣枚数カウントエリアの当該金種のカウント数に「１」を加えて紙幣一時保留部１４へ集積した投入紙幣の金種別の枚数を計数する。
紙幣鑑別部１３による鑑別結果が、偽紙幣や外国紙幣等の偽券や著しい損券の場合、制御部１１は当該入金リジェクト紙幣を紙幣搬送路１９によって紙幣入出金部１２へ搬送して集積する。
【００４３】
そして、制御部１１は、紙幣入出金部１２に投入された、全ての投入紙幣の鑑別、計数を終えると、紙幣一時保留部１４に一時保留した投入紙幣の金種別の枚数（保留紙幣枚数カウントエリアの金種別のカウント数）を付した紙幣入金計数終了通知を主制御部４へ送信する。このとき、紙幣入出金部１２へ入金リジェクト紙幣を集積した場合は、その旨を付記する。
【００４４】
前記紙幣の入金計数処理と並行して、入金計数処理の実行指令を受信した硬貨処理部２０の制御部２１は、投入硬貨の入金計数処理を実行する。
すなわち、制御部２１は、硬貨入金部２２の硬貨投入口２２ａへの硬貨の投入を待って待機し、レジ担当者が、入金すべき硬貨を硬貨投入口２２ａに一括投入すると、これを認識した制御部２１は、硬貨入金部２２の硬貨繰出部２２ｂから１枚ずつ繰出された投入硬貨を硬貨鑑別部２３へ搬送し、硬貨鑑別部２３によって硬貨の真偽、金種等を鑑別する。
【００４５】
硬貨鑑別部２３による鑑別結果が正常貨の場合、制御部２１は、当該硬貨の金種を基に、硬貨選別部２３ａの該当する選別口の選別ゲートを開作動させ、金種別の搬送シュート２９ａによって硬貨一時保留部２４へ落下させて金種別に集積すると共に、記憶エリア２１ａの保留硬貨カウントエリアの当該金種のカウント数に「１」を加えて硬貨一時保留部２４へ集積した投入硬貨の金種別の枚数を計数する。
硬貨鑑別部１３による鑑別結果が、偽硬貨や外国硬貨等の偽貨や著しい汚損貨の場合、制御部２１は、当該入金リジェクト硬貨を硬貨選別部２３ａのリジェクト口の選別ゲートを開作動させて搬送シュート２９ｄにより硬貨リジェクト口２６へ搬送して集積する。
【００４６】
そして、制御部２１は、硬貨入金部２２に投入された、全ての投入硬貨の鑑別、計数を終えると、硬貨一時保留部２４に一時保留した投入硬貨の金種別の枚数（保留硬貨カウントエリアの金種別のカウント数）を付した硬貨入金計数終了通知を主制御部４へ送信する。このとき、硬貨リジェクト口２６へ入金リジェクト硬貨を集積した場合は、その旨を付記する。
【００４７】
Ｓ３：一方、連携入金の入金処理における入金計数処理の実行指令の送信後に、紙幣処理部１０の制御部１１からの紙幣入金計数終了通知および、硬貨処理部２０の制御部２１からの硬貨入金計数終了通知の受信を待って待機していた主制御部４は、両方の入金計数終了通知を受信すると、操作表示部６の表示画面に、投入紙幣および投入硬貨からなる投入現金の金種別の入金枚数と、投入現金の金種別の入金枚数を集計した現金種別（貨幣の種類）毎の入金金額と、投入現金の総入金金額、および投入現金の収納を指示するための「収納」ボタン、今回の入金取引の取引取消を指示するための「返却」ボタン、投入現金が紙幣入出金部１２および／もしくは硬貨入金部２２の収容量を超えていたために続けて入金処理を行うことを指示するための「追加投入」ボタン等を表示した第１の計数結果確認画面を表示する。
【００４８】
このとき、紙幣入金計数終了通知および／もしくは硬貨入金計数終了通知に、入金リジェクト現金を集積した旨が付記されていた場合は、その旨を現金種別毎に表示して、レジ担当者に入金リジェクト現金を引渡す。
そして、レジ担当者は、表示された指示ボタンのいずれか一つを押下する。
【００４９】
Ｓ４：指示ボタンの押下により、レジ担当者が指示した指示種別を認識した主制御部４は、その指示種別が「返却」の場合はステップＳ１３へ移行する。指示種別が「収納」または「追加入金」の場合はステップＳ５へ移行する。
Ｓ５：レジ担当者が指示した指示種別を「収納」または「追加入金」と認識した主制御部４は、紙幣処理部１０の制御部１１および硬貨処理部２０の制御部２１へ、連携入金の入金処理における投入現金の収納処理の実行指令を送信する。
投入現金の収納処理の実行指令を受信した紙幣処理部１０の制御部１１は、投入紙幣の収納処理を実行する。
【００５０】
すなわち、制御部１１は、紙幣一時保留部１４の投入紙幣（保留紙幣）を繰出機構により紙幣搬送路１９へ１枚ずつ繰出して紙幣鑑別部１３へ搬送し、紙幣鑑別部１３で鑑別された金種を基に収納する金種別の紙幣収納庫１５を特定して、当該紙幣を紙幣搬送路１９によって該当する紙幣収納庫１５へ搬送して収納し、鑑別された金種を基に、記憶エリア１１ａの収納紙幣枚数カウントエリアの当該金種のカウント数に「１」を加えて紙幣収納部１６へ収納した紙幣の金種別の枚数を計数する。
【００５１】
このとき、紙幣鑑別部１３で重送等と鑑別された収納リジェクト紙幣は、紙幣搬送路１９によって紙幣鑑別部１３から紙幣リジェクト庫１７へ搬送して集積する。この場合は、収納紙幣枚数カウントエリアのカウント数は当該紙幣の繰出前の状態に戻される。
そして、全ての保留紙幣の紙幣収納庫１５への収納を終えたときに、紙幣収納庫１５に新たに収納した紙幣の金種別の枚数（保留紙幣枚数カウントエリアの金種別のカウント数）を付した紙幣収納終了通知を主制御部４へ送信する。
【００５２】
この場合に、収納処理の実行指令を受けたときから紙幣一時保留部１４、紙幣一時保留部１４から紙幣収納庫１５への紙幣搬送路１９に存在する紙幣、および紙幣収納庫１５に収納した紙幣は、装置内の紙幣として取扱われる。
前記紙幣の収納処理と並行して、投入現金の収納処理の実行指令を受信した硬貨処理部２０の制御部２１は、硬貨の収納処理を実行する。
【００５３】
すなわち、制御部２１は、硬貨一時保留部２４の投入硬貨（保留硬貨）を、切替ゲート２４ｂによって金種毎の搬送シュート２９ｂへ導き、一時保留した投入硬貨を金種別に落下させて硬貨収納庫２５の金種別収納部へ収納し、記憶エリア１１ａの収納硬貨枚数カウントエリアの金種別のカウント数に、保留硬貨枚数カウントエリアの金種別のカウント数を加えて硬貨収納部１６へ収納した硬貨の金種別の枚数を計数する。
そして、全ての保留硬貨の硬貨収納庫２５への収納を終えたときに、硬貨収納庫２５に新たに収納した硬貨の金種別の枚数（保留硬貨枚数カウントエリアの金種別のカウント数）を付した硬貨収納終了通知を主制御部４へ送信する。
【００５４】
この場合に、収納処理の実行指令を受けたときから硬貨一時保留部２４、硬貨一時保留部２４から硬貨収納庫２５へ至る搬送シュート２９ｂに存在する投入硬貨、および硬貨収納庫２５に収納した投入硬貨は、装置内の硬貨として取扱われる。
一方、連携入金の入金処理における投入現金の収納処理の実行指令の送信後に、紙幣処理部１０の制御部１１からの紙幣収納終了通知および、硬貨処理部２０の制御部２１からの硬貨収納終了通知の受信を待って待機していた主制御部４は、両方の収納終了通知を受信したときに、ステップＳ６へ移行する。
【００５５】
Ｓ６：紙幣処理部１０および硬貨処理部２０からの収納終了通知を受信した主制御部４は、上記ステップＳ３で認識した、レジ担当者が指示した指示種別が「収納」であった場合はステップＳ７へ移行する。
指示種別が「追加入金」であった場合は、ステップＳ１へ戻って２回目の入金処理を実行する。
【００５６】
この場合に、ステップＳ３において第１の計数結果確認画面に表示される、投入現金の金種別の入金枚数と、現金種別毎の入金金額と、投入現金の総入金金額は、それぞれ１回目と２回目とを加算した合計数で表示される。
また、ステップＳ２でカウントされる保留紙幣枚数カウントエリアおよび保留硬貨枚数カウントエリアのカウント数は、それぞれ１回目の終了時のカウント数に２回目のカウント数を加えながらカウントされ、収納紙幣枚数カウントエリアおよび収納硬貨枚数カウントエリアのカウント数は、それぞれ１回目の終了時のカウント数に２回目のカウント数を加えながらカウントされる。
【００５７】
Ｓ７：指示種別が「収納」であったことにより、入金処理の終了を認識した主制御部４は、操作表示部６の表示画面に管理サーバ２と通信中である旨の文言等を表示した通信中画面を表示してステップＳ８へ移行する。
Ｓ８：通信中画面を表示した主制御部４は、管理サーバ２と交信して連携入金における連携処理を実行する。
【００５８】
すなわち、主制御部４は、今回の入金処理で全ての投入現金を収納した旨、および今回の入金処理における入金紙幣および入金硬貨のそれぞれの金種別枚数を付した入金額登録要求を通信ネットワーク３を介して管理サーバ２へ送信し、これを受信した管理サーバ２は、送信元の現金入出金装置１の登録エリアに受信日時に対応させて受信した入金紙幣および入金硬貨の金種別枚数を格納し、格納を終えると、入金額の登録を終えた旨の入金額登録済通知を通信ネットワーク３を介して送信元の現金入出金装置１へ送信する。
Ｓ９：一方、入金額登録要求の送信後に、管理サーバ２からの入金額登録済通知の受信を待って待機していた主制御部４は、管理サーバ２からの入金額登録済通知を受信したときに、今回の連携入金における入金取引の取引成立を判定してステップＳ１０へ移行する。
【００５９】
また、主制御部４は、所定の時間経過しても管理サーバ２からの入金額登録済通知を受信しない場合、または受信した入金額登録済通知がノイズ等の通信障害により判読不能の場合は、今回の入金取引の取引不成立を判定し、結合子Ａを介してステップＳ３へ戻り、操作表示部６の表示画面に、投入現金の金種別の入金枚数と、現金種別毎の入金金額と、投入現金の総入金金額、および管理サーバ２との通信を再実行することを指示するための「再実行」ボタン、今回の連携入金における入金取引の取引取消を指示するための「返却」ボタン等を表示した第２の計数結果確認画面を表示する。
【００６０】
そして、レジ担当者が表示された「再実行」ボタンを押下したときは、上記ステップＳ７へ移行して通信中画面を表示し、ステップＳ８で、管理サーバ２との間の連携入金における連携処理を再実行し、再実行の結果、ステップＳ９で、今回の入金取引の取引成立を判定したときは、前記と同様にしてステップＳ１０へ移行し、今回の入金取引の取引不成立を判定したときは、結合子Ａを介してステップＳ３へ戻り、第２の計数結果確認画面を表示して前記の処理動作を繰返す。
レジ担当者が表示された「返却」ボタンを押下したときは、ステップＳ１３へ移行する。
【００６１】
Ｓ１０：管理サーバ２との間の連携入金における連携処理によって、取引成立を判定した主制御部４は、印刷部８によって、今回の入金処理における投入現金の金種別の入金枚数と、現金種別毎の入金金額と、投入現金の総入金金額等を印刷したレシートを排出し、レジ担当者の受取りを確認してステップＳ１１へ移行する。
Ｓ１１：レシートの受取りを確認した主制御部４は、上記ステップＳ７と同様にして、通信中画面を表示し、ステップＳ１２へ移行する。
Ｓ１２：通信中画面を表示した主制御部４は、管理サーバ２へ現金入出金装置１の在高電文を送信する。
【００６２】
すなわち、主制御部４は、紙幣処理部１０の制御部１１および硬貨処理部２０の制御部２１へ、各現金収納庫に収納している現金の在高の送信を要求する在高送信要求を送信し、在高送信要求を受信した紙幣処理部１０の制御部１１は、紙幣収納庫１５に収納した紙幣の金種別の枚数（収納紙幣枚数カウントエリアの金種別のカウント数）を付した紙幣在高通知を主制御部４へ送信する。
また、在高送信要求を受信した硬貨処理部２０の制御部２１は、硬貨収納庫２５に収納した硬貨の金種別の枚数（収納硬貨枚数カウントエリアの金種別のカウント数）を付した紙幣在高通知を主制御部４へ送信する。
【００６３】
そして、紙幣処理部１０および硬貨処理部からの在高通知を受信した主制御部４は、現在の現金入出金装置１の在高である旨、および紙幣処理部１０および硬貨処理部２０から受信した紙幣および硬貨の金種別枚数を付した在高登録要求を通信ネットワーク３を介して管理サーバ２へ送信し、これを受信した管理サーバ２は、送信元の現金入出金装置１の登録エリアに受信日時に対応させて受信した紙幣および硬貨の金種別枚数を格納し、格納を終えると、在高の登録を終えた旨の在高登録済通知を通信ネットワーク３を介して送信元の現金入出金装置１へ送信する。
管理サーバ２からの在高登録通知を受信した主制御部４は、今回の連携入金における入金処理を終了させる。
【００６４】
Ｓ１３：一方、上記ステップＳ４において、レジ担当者が指示した指示種別が、取引取消を指示する「返却」であったことによって、ステップＳ４から移行した主制御部４は、投入紙幣および投入硬貨の返却処理を実行するために、まず、紙幣処理部１０および硬貨処理部２０の各現金一時保留部および各現金収納庫への投入現金の集積状況を確認するために紙幣処理部１０の制御部１１および硬貨処理部２０の制御部２１へ、投入現金集積状況確認要求を送信する。
【００６５】
投入現金集積状況確認要求を受信した紙幣処理部１０の制御部１１は、紙幣一時保留部１４の残留検知センサからの出力を確認し、紙幣一時保留部１４に投入紙幣が存在する場合は保留紙幣有の旨、投入紙幣が存在しない場合は保留紙幣なしの旨を、紙幣収納庫１５に投入紙幣を新たに収納した場合は収納紙幣有の旨、投入紙幣を収納しなかった場合は収納紙幣なしの旨を付した紙幣集積状況通知を主制御部４へ送信する。
【００６６】
また、投入現金集積状況確認要求を受信した硬貨処理部２０の制御部１１は、硬貨一時保留部２４の残留検知センサからの出力を確認し、硬貨一時保留部２４に投入硬貨が存在する場合は保留硬貨有の旨、投入硬貨が存在しない場合は保留硬貨なしの旨を、硬貨収納庫２５に投入硬貨を新たに収納した場合は収納硬貨有の旨、投入硬貨を収納しなかった場合は収納硬貨なしの旨を付した硬貨集積状況通知を主制御部４へ送信する。
そして、主制御部４は、紙幣処理部１０の制御部１１からの紙幣集積状況通知および、硬貨処理部２０の制御部２１からの硬貨集積状況通知を受信したときに、受信した紙幣集積状況通知および硬貨集積状況通知を記憶部５に保存し、投入紙幣および投入硬貨の返却処理の実行を開始する。この場合の返却処理は、以下の４つのケースがある。
【００６７】
ケース１：１回目の入金処理で「収納」が指示され、通信障害等のためにステップＳ９から結合子Ａを介して戻ったときに表示した第２の計数結果確認画面から「返却」ボタンが押下された場合の返却処理。
ケース２：１回目の入金処理で表示した第１の計数結果確認画面から「返却」ボタンが押下された場合の返却処理。
【００６８】
ケース３：追加入金による２回目以降の入金処理で「収納」が指示され、通信障害等のためにステップＳ９から結合子Ａを介して戻ったときに表示した第２の計数結果確認画面から「返却」ボタンが押下された場合の返却処理。
ケース４：追加入金による２回目以降の入金処理で表示した第１の計数結果確認画面から「返却」ボタンが押下された場合の返却処理。
【００６９】
以下に、上記各ケースについて、それぞれの処理動作をケース別に説明する。
＜ケース１＞
この場合は、１回目の入金処理により、投入紙幣および投入硬貨は全て紙幣収納庫１５および硬貨収納庫２５に収納されているので、各現金一時保留部には投入現金が存在せず、各現金収納庫の投入現金は、装置内の現金として取扱われ、以下に示す処理動作が実行される。
【００７０】
Ｓ１３：１回目の入金処理で「収納」が指示され、通信障害等のためにステップＳ９から結合子Ａを介して戻ったときに表示した第２の計数結果確認画面で「返却」ボタンが押下された結果、ステップＳ４から移行し、紙幣集積状況通知および硬貨集積状況通知を記憶部５に保存して、投入紙幣および投入硬貨の返却処理の実行を開始した主制御部４は、記憶部５の紙幣集積状況通知および硬貨集積状況通知が保留現金有の場合は、ステップＳ１４へ移行する。
紙幣集積状況通知および硬貨集積状況通知が保留現金なしの場合は、ステップＳ２０へ移行する。
本ケースでは、各現金一時保留部に投入現金が存在しないため、ステップＳ２０へ移行する。
【００７１】
Ｓ２０：各現金一時保留部には投入現金が存在しないことを認識した主制御部４は、記憶部５の紙幣集積状況通知および硬貨集積状況通知が収納現金なしの場合は、今回の連携入金における入金処理を終了させる。
紙幣集積状況通知および硬貨集積状況通知が収納現金有の場合はステップＳ２１へ移行する。
本ケースでは、各現金収納庫には投入現金が収納されているため、ステップＳ２１へ移行する。
【００７２】
Ｓ２１：各現金一時保留部には投入現金が存在しておらず、かつ各現金収納庫に投入紙幣が収納済であることを認識した主制御部４は、操作表示部６の表示画面に返却処理の実行中である旨の返却中画面を表示してステップＳ２２へ移行する。
Ｓ２２：返却中画面を表示した主制御部４は、紙幣収納庫１５および硬貨収納庫２５に収納された紙幣および硬貨の返却処理を実行するために、紙幣処理部１０の制御部１１および硬貨処理部２０の制御部２１へ、収納現金の返却処理の実行指令を送信する。
収納現金の返却処理の実行指令を受信した紙幣処理部１０の制御部１１は、紙幣収納庫１５に収納した紙幣の返却処理を実行する。
【００７３】
すなわち、制御部１１は、記憶エリア１１ａの保留紙幣枚数カウントエリアから金種別のカウント数を読出し、各紙幣収納庫１５ａ〜１５ｃからそれぞれのカウント数に応じた紙幣を繰出機構によって１枚ずつ繰出し、繰出した紙幣を紙幣搬送路１９によって紙幣鑑別部１３へ搬送し、更に紙幣入出金部１２へ搬送して集積し、紙幣収納庫１５から紙幣を繰出す度に、記憶エリア１１ａの収納紙幣枚数カウントエリアのカウント数から「１」を減じて各紙幣収納庫１５の収納枚数を計数する。
【００７４】
このとき、紙幣鑑別部１３で、重送等と鑑別された返却処理時のリジェクト紙幣は、紙幣搬送路１９によって紙幣鑑別部１３から紙幣リジェクト庫１７へ搬送して集積し、記憶エリア１１ａに紙幣リジェクト庫１７に紙幣を集積した旨を保存する。この場合は、収納紙幣枚数カウントエリアのカウント数は当該紙幣の繰出前の状態に戻される。
【００７５】
そして、返却すべき全ての収納済紙幣を紙幣入出金部１２へ搬送して集積したときに、主制御部４へ収納紙幣集積終了通知を送信する。この場合に記憶エリア１１ａに、紙幣リジェクト庫１７に紙幣を集積した旨が保存されている場合（後述するステップＳ１９で保存した場合を含む。）は、その旨を収納紙幣集積終了通知に付して送信する。
また、収納現金の返却処理の実行指令を受信した硬貨処理部２０の制御部２１は、硬貨収納庫２５に収納した硬貨の返却処理を実行する。
【００７６】
すなわち、制御部２１は、記憶エリア２１ａの保留硬貨枚数カウントエリアから金種別のカウント数を読出し、硬貨収納庫２５の各硬貨収納庫から繰出機構によってそれぞれのカウント数に応じた硬貨を１枚ずつ繰出し、繰出した硬貨を搬送シュート２９ｄによって硬貨出金箱２７に金種別に落下させて集積し、硬貨収納庫２５から硬貨を繰出す度に、記憶エリア１１ａの収納硬貨枚数カウントエリアのカウント数から「１」を減じて、各硬貨収納庫２５の収納枚数を計数する。
【００７７】
そして、返却すべき全ての収納済硬貨を硬貨出金箱２７に集積したときに、主制御部４へ収納硬貨集積終了通知を送信する。
一方、収納現金の返却処理の実行指令の送信後に、紙幣処理部１０の制御部１１からの収納紙幣集積終了通知および、硬貨処理部２０の制御部２１からの収納硬貨集積終了通知の受信を待って待機していた主制御部４は、両方の集積終了通知を受信したときに、ステップＳ２３へ移行する。
【００７８】
Ｓ２３：紙幣処理部１０および硬貨処理部２０からの集積終了通知を受信した主制御部４は、操作表示部６の表示画面に、紙幣入出金部１２に集積した返却紙幣および硬貨出金箱２７に集積した返却硬貨の受取り、並びに収納紙幣集積終了通知に紙幣リジェクト庫１７に紙幣を集積した旨が付されている場合は、紙幣リジェクト庫１７に集積した返却時のリジェクト紙幣の受取りを誘導する受取誘導画面を表示し、レジ担当者による返却現金の受取り等を確認して、今回の連携入金における入金処理を終了させる。
この返却処理の場合は、現金入出金装置１の内部に存在する現金に変化がないため、レシートは発行されない。
【００７９】
また、返却時のリジェクト紙幣が紙幣リジェクト部１７に集積されている場合、レジ担当者は、当該リジェクト紙幣を、紙幣入出金部１２に再投入して、紙幣収納庫２５に金種別に収納する。
このようにすれば、紙幣収納庫１５からの返却時におけるリジェクト紙幣は、本来紙幣収納庫１５に収納されていた紙幣であるので、再投入して収納することで、記憶エリア１１ａの収納紙幣枚数カウントエリアのカウント数および紙幣収納庫１５の収納枚数を、今回の取引前の状態に戻すことができる。
【００８０】
＜ケース２＞
この場合は、１回目の入金計数処理において、投入紙幣および投入硬貨は各現金一時保留部に全て集積されており、紙幣収納庫１５および硬貨収納庫２５には、投入紙幣および投入硬貨が収納されていないので、各現金一時保留部の投入現金は、装置外の現金として取扱われ、以下に示す処理動作が実行される。
【００８１】
Ｓ１３：１回目の入金処理で表示した第１の計数結果確認画面で「返却」ボタンが押下された結果、ステップＳ４から移行した主制御部４は、上記ケース１のステップＳ１３と同様にして、記憶部５の紙幣集積状況通知および硬貨集積状況通知が保留現金有の場合は、ステップＳ１４へ移行する。
紙幣集積状況通知および硬貨集積状況通知が保留現金なしの場合は、ステップＳ２０へ移行する。
本ケースでは、各現金一時保留部に投入現金が存在しているため、ステップＳ１４へ移行する。
【００８２】
Ｓ１４：各現金一時保留部に投入現金が存在することを認識した主制御部４は、記憶部５の紙幣集積状況通知および硬貨集積状況通知が収納現金なしの場合は、ステップＳ１５へ移行する。
紙幣集積状況通知および硬貨集積状況通知が収納現金有の場合は、ステップＳ１８へ移行する。
本ケースでは、各現金収納庫に投入現金が収納されていないため、ステップＳ１５へ移行する。
【００８３】
Ｓ１５：各現金一時保留部に投入現金が存在しており、かつ各現金収納庫に投入紙幣が収納されていないことを認識した主制御部４は、操作表示部６の表示画面に返却処理の実行中である旨の返却中画面を表示してステップＳ１６へ移行する。
Ｓ１６：返却中画面を表示した主制御部４は、紙幣一時保留部１４および硬貨一時保留部２４に集積された、投入紙幣および投入硬貨の返却処理を実行するために、紙幣処理部１０の制御部１１および硬貨処理部２０の制御部２１へ、保留現金の返却処理の実行指令を送信する。
【００８４】
保留現金の返却処理の実行指令を受信した紙幣処理部１０の制御部１１は、紙幣一時保留部１４に一時保留した投入紙幣の返却処理を実行する。
すなわち、制御部１１は、紙幣一時保留部１４に一時保留した投入紙幣を繰出機構によって１枚ずつ繰出し、繰出した紙幣を紙幣搬送路１９によって直接、紙幣入出金部１２へ搬送して集積し、紙幣一時保留部１４の残留検知センサが残留紙幣の存在を検知しなくなったときに、返却すべき全ての投入紙幣を紙幣入出金部１２へ搬送して集積したと判定し、主制御部４へ保留紙幣集積終了通知を送信する。
【００８５】
また、保留現金の返却処理の実行指令を受信した硬貨処理部２０の制御部２１は、硬貨一時保留部２４に一時保留した投入硬貨の返却処理を実行する。
すなわち、制御部１１は、硬貨一時保留部２４に一時保留した投入硬貨を、切替ゲート２４ｂによって金種毎の搬送シュート２９ｅへ導き、一時保留した投入硬貨を金種別に落下させて硬貨返却箱２８に金種別に集積し、返却すべき全ての投入硬貨を硬貨返却箱２８に集積したときに、主制御部４へ保留硬貨集積終了通知を送信する。
【００８６】
一方、保留現金の返却処理の実行指令の送信後に、紙幣処理部１０の制御部１１からの保留紙幣集積終了通知および、硬貨処理部２０の制御部２１からの保留硬貨集積終了通知の受信を待って待機していた主制御部４は、両方の集積終了通知を受信したときに、ステップＳ１７へ移行する。
Ｓ１７：紙幣処理部１０および硬貨処理部２０からの集積終了通知を受信した主制御部４は、操作表示部６の表示画面に、紙幣入出金部１２に集積した返却紙幣および硬貨返却箱２８に集積した返却硬貨の受取りを誘導する受取誘導画面を表示し、レジ担当者による返却現金の受取りを確認して、今回の連携入金における入金処理を終了させる。
【００８７】
＜ケース３＞
この場合は、１回目および２回目以降の入金処理により、投入紙幣および投入硬貨は全て紙幣収納庫１５および硬貨収納庫２５に収納されているので、各現金一時保留部には投入現金が存在せず、各現金収納庫の投入現金は、装置内の現金として取扱われ、以下に示す処理動作が実行される。
【００８８】
Ｓ１３：追加入金による２回目以降の入金処理で「収納」が指示され、通信障害等のためにステップＳ９から結合子Ａを介して戻ったときに表示した第２の計数結果確認画面で「返却」ボタンが押下された結果、ステップＳ４から移行した主制御部４は、上記ケース１のステップＳ１３と同様にして、記憶部５の紙幣集積状況通知および硬貨集積状況通知が保留現金有の場合は、ステップＳ１４へ移行する。
【００８９】
紙幣集積状況通知および硬貨集積状況通知が保留現金なしの場合は、ステップＳ２０へ移行する。
本ケースでは、各現金一時保留部に投入現金が存在しないため、ステップＳ２０へ移行する。
その後のステップＳ２０〜Ｓ２３の処理動作は、上記ケース１の場合と同様であるので、その説明を省略する。
【００９０】
＜ケース４＞
この場合は、２回目以降に実行された最後の入金処理の入金計数処理において、各現金一時保留部には、最後の入金計数処理における投入紙幣および投入硬貨が集積され、最後の入金処理の１回前の収納処理において、その間の投入紙幣および投入硬貨は、紙幣収納庫１５および硬貨収納庫２５に収納されているので、各現金一時保留部の投入現金、および各現金収納庫に収納された収納済現金の取扱い方を統一するため、本実施例では、各一時保留部に集積された現金を一旦各現金収納庫に収納して、全ての投入現金を、装置内の現金として取扱う。このため、以下に示す処理動作が実行される。
【００９１】
なお、前記のように各現金一時保留部の投入現金を取扱っても、本実施例の現金入出金装置１が取扱う現金は、全て店舗側の現金であり、顧客側の現金は、全てレジスタカウンタで取扱われるので、管理サーバ２における売上金の管理や、現金入出金装置１の在高管理に違算等が生じることはない。
【００９２】
Ｓ１３：追加入金による２回目以降の入金処理で表示した第１の計数結果確認画面で「返却」ボタンが押下された結果、ステップＳ４から移行した主制御部４は、上記ケース１のステップＳ１３と同様にして、記憶部５の紙幣集積状況通知および硬貨集積状況通知が保留現金有の場合は、ステップＳ１４へ移行する。
紙幣集積状況通知および硬貨集積状況通知が保留現金なしの場合は、ステップＳ２０へ移行する。
本ケースでは、各現金一時保留部に投入現金が存在しているため、ステップＳ１４へ移行する。
【００９３】
Ｓ１４：各現金一時保留部に投入現金が存在することを認識した主制御部４は、記憶部５の紙幣集積状況通知および硬貨集積状況通知が収納現金なしの場合は、ステップＳ１５へ移行する。
紙幣集積状況通知および硬貨集積状況通知が収納現金有の場合は、ステップＳ１８へ移行する。
本ケースでは、各現金収納庫に投入現金が収納されているため、ステップＳ１８へ移行する。
【００９４】
Ｓ１８：各現金一時保留部に投入現金が存在しており、かつ各現金収納庫に投入現金が収納されていることを認識した主制御部４は、操作表示部６の表示画面に返却処理の実行中である旨の返却中画面を表示してステップＳ１９へ移行する。
Ｓ１９：返却中画面を表示した主制御部４は、紙幣一時保留部１４および硬貨一時保留部２４に集積された投入紙幣および投入硬貨を、紙幣収納庫１５および硬貨収納庫２５へ仮に収納する保留現金の仮収納処理を実行するために、紙幣処理部１０の制御部１１および硬貨処理部２０の制御部２１へ、保留現金の仮収納処理の実行指令を送信する。
【００９５】
保留現金の仮収納処理の実行指令を受信した紙幣処理部１０の制御部１１は、紙幣一時保留部１４に一時保留している投入紙幣の仮収納処理を実行する。
すなわち、制御部１１は、紙幣一時保留部１４の投入紙幣（保留紙幣）を繰出機構により紙幣搬送路１９へ１枚ずつ繰出して紙幣鑑別部１３へ搬送し、紙幣鑑別部１３で鑑別された金種を基に収納する金種別の紙幣収納庫１５を特定して、当該紙幣を紙幣搬送路１９によって該当する紙幣収納庫１５へ搬送して収納し、鑑別された金種を基に、記憶エリア１１ａの収納紙幣枚数カウントエリアの当該金種のカウント数に「１」を加えて紙幣収納部１６へ収納した紙幣の金種別の枚数を計数する。
【００９６】
このとき、紙幣鑑別部１３で、重送等と鑑別された仮収納時のリジェクト紙幣は、紙幣搬送路１９によって紙幣鑑別部１３から紙幣リジェクト庫１７へ搬送して集積し、記憶エリア１１ａに紙幣リジェクト庫１７に紙幣を集積した旨を保存する。この場合は、収納紙幣枚数カウントエリアのカウント数は当該紙幣の繰出前の状態に戻される。
【００９７】
そして、全ての保留紙幣の紙幣収納庫１５への収納を終えたときに、紙幣の仮収納を終えた旨の紙幣仮収納終了通知を主制御部４へ送信する。
この場合に、仮収納処理の実行指令を受けたときから紙幣一時保留部１４、紙幣一時保留部１４から紙幣収納庫１５への紙幣搬送路１９に存在する紙幣、および紙幣収納庫１５に収納した紙幣は、装置内の紙幣として取扱われる。
【００９８】
前記紙幣の仮収納処理と並行して、投入現金の仮収納処理の実行指令を受信した硬貨処理部２０の制御部２１は、硬貨一時保留部２４に一時保留している投入硬貨の仮収納処理を実行する。
すなわち、制御部２１は、硬貨一時保留部２４の投入硬貨（保留硬貨）を、切替ゲート２４ｂによって金種毎の搬送シュート２９ｂへ導き、一時保留した投入硬貨を金種別に落下させて硬貨収納庫２５の金種別収納部へ収納し、記憶エリア１１ａの収納硬貨枚数カウントエリアの金種別のカウント数に、保留硬貨枚数カウントエリアの金種別のカウント数を加えて硬貨収納部１６へ収納した投入硬貨の金種別の枚数を計数する。
【００９９】
そして、全ての保留硬貨の硬貨収納庫２５への収納を終えたときに、硬貨の仮収納を終えた旨の硬貨仮収納終了通知を主制御部４へ送信する。
この場合に、仮収納処理の実行指令を受けたときから硬貨一時保留部２４、硬貨一時保留部２４から硬貨収納庫２５へ至る搬送シュート２９ｂに存在する投入硬貨、および硬貨収納庫２５に収納した投入硬貨は、装置内の硬貨として取扱われる。
【０１００】
一方、保留現金の仮収納処理の実行指令の送信後に、紙幣処理部１０の制御部１１からの紙幣仮収納終了通知および、硬貨処理部２０の制御部２１からの硬貨仮収納終了通知の受信を待って待機していた主制御部４は、両方の仮収納終了通知を受信したときに、ステップＳ２０へ移行する。
その後のステップＳ２０〜Ｓ２３の処理動作は、上記ケース１の場合と同様であるので、その説明を省略する。
このようにして、本実施例の連携入金における入金処理が実行される。
【０１０１】
上記のように、本実施例では、連携入金における投入現金の返却処理において、投入紙幣が紙幣一時保留部１４に存在するか否かに関わらず、投入紙幣は、紙幣入出金部１１から返却され、投入硬貨は、ケース１の場合は硬貨出金箱２７から、ケース２の場合は硬貨返却箱２８から、ケース３の場合は硬貨出金箱２７から、ケース４の場合は、投入硬貨が硬貨一時保留部２４に存在するにも関わらず、硬貨出金箱２７から返却されるので、投入硬貨の返却時に、レジ担当者は１箇所から返却された投入硬貨を取出すことができ、レジ担当者の負担を軽減することができると共に、ケース４における追加投入時の返却硬貨の取忘れを防止することができる。
【０１０２】
また、ケース１のステップＳ２２、ケース２のステップＳ１６およびケース３のステップＳ２２の場合において、返却現金の搬送中に紙幣検知センサや硬貨検知センサ等によってジャム等の搬送障害が検出され、紙幣処理部１０や硬貨処理部２０が停止したとしても、上記したように前記各ケースにおける現金の取扱いは、装置内または装置外のいずれかであるので、保守担当者によるジャム現金の除去作業において、除去した現金がいずれに属するかについて迷うことはなく、当該現金の戻し先を間違えることはない。
【０１０３】
しかしながら、ケース４の場合、つまり現金一時保留部および現金収納庫にそれぞれ返却すべき投入現金が集積されている場合に、紙幣処理部１０における返却紙幣の搬送中にジャム等の搬送障害が発生した場合、特に図２に太い破線で示したＢ部は、紙幣一時保留部１４から紙幣入出金部１２へ搬送される返却紙幣と、紙幣収納庫１５から紙幣入出金部１２へ搬送される返却紙幣とが搬送される共用搬送路になっているため、この共用搬送路で搬送障害が発生した場合、従来では、現金一時保留部内の投入現金は、装置外の現金として取扱われ、入金確定後に現金一時保留部から現金収納庫に収納された投入現金は、装置内の現金として取扱われていたので、保守担当者が除去した紙幣が、いずれに属するかを見極めることが困難であった。
【０１０４】
この場合に、本実施例では、上記ケース４で説明したように、現金一時保留部の投入現金を一旦現金収納庫に仮収納して現金一時保留部の投入紙幣を、装置内の現金として取扱うので、共用搬送路で搬送障害が発生したとしても、障害を発生させた現金の戻し先を装置内に統一することができ、保守担当者が除去した紙幣の戻し先を間違えることはない。
【０１０５】
なお、投入現金を現金収納庫から返却している場合（ケース１、ケース２およびケース４のステップＳ２２の場合）に、搬送障害が発生した場合は、レジ担当者に返却できなかった未返却の現金は、管理者が店舗内の他の現金入出金装置１等から未返却分の現金を出金して手払代行で返却し、保守担当者等は、障害を復旧させた後に、除去現金および現金一時保留部や搬送経路から取出した現金を、現金入金部に再投入して現金収納庫に収納することによって、現金収納庫の収納枚数を各現金処理部において自動的にカウントする。
【０１０６】
このようにしても、店舗の在高に相当する現金は、店舗内の現金入出金装置１の内部に存在することになり、店舗の売上金等の集計に違算が生じることはない。
ケース４のステップ１９で説明した、保留紙幣の仮収納処理における現金の搬送中に搬送障害が発生した場合は、現金一時保留部に存在する現金は、各現金処理部が仮収納処理の実行指令を受けたときから装置内の現金として取扱われるので、前記と同様に処置される。
【０１０７】
以上説明したように、本実施例では、連携入金における入金処理において、現金一時保留部と現金収納庫の両方に返却すべき投入現金が集積されている場合に、現金一時保留部に集積されている投入現金を、一旦現金収納庫に収納して装置内現金とし、その後に現金収納庫から１箇所の現金排出部（紙幣入出金部１２、硬貨出金箱２７）に集積して返却するので、レジ担当者等の担当者の負担を軽減することができると共に、返却現金の取忘れを防止することができる他、返却現金の搬送時にジャム等の搬送障害が発生した場合に、除去現金の戻し先を統一することができ、保守担当者等の担当者の負担を軽減することができると共に、無用の混乱を抑制することができる。
【０１０８】
なお、上記実施例においては、連携入金の入金処理における返却処理を例に説明したが、単独に設置された現金入出金装置１で実行される入金処理にも適用することができる。この場合には、手払代行でレジ担当者に返却する現金は、別の金庫等から出金し、装置の復旧後に現金一時保留部等から取出した現金は、出金した金庫に戻すようにするとよい。
また、上記実施例においては、入力手段は、操作表示部６の表示画面に設けたタッチパネルであるとして説明したが、レジ担当者等が入金処理や出金処理等を行うことを指示するための操作キーや、出金金額等を入力するためのテンキー等により構成される入力部を設けるようにしてもよく、入力部とタッチパネルを併用するようにしてもよい。
【符号の説明】
【０１０９】
１    現金入出金装置
２    管理サーバ
３    通信ネットワーク
４    主制御部
５    記憶部
６    操作表示部
７    カードリーダ
８    印刷部
１０  紙幣処理部
１１、２１  制御部
１１ａ、２１ａ  記憶エリア
１２  紙幣入出金部
１３  紙幣鑑別部
１４  紙幣一時保留部
１５、１５ａ〜１５ｃ  紙幣収納庫
１６  退避庫
１７  紙幣リジェクト庫
１８  施封部
１８ａ  施封紙幣集積部
１８ｂ  紙幣結束部
１８ｃ  紙幣束出金口
１９  紙幣搬送路
２０  硬貨処理部
２２  硬貨入金部
２２ａ  硬貨投入口
２２ｂ  硬貨繰出部
２３  硬貨鑑別部
２３ａ  硬貨選別部
２４  硬貨一時保留部
２４ｂ  切替ゲート
２５  硬貨収納庫
２６  硬貨リジェクト口
２７  硬貨出金箱
２８  硬貨返却箱
２９ａ〜２９ｅ  搬送シュート
【図１】
0006716860.tif 000002
【図２】
0006716860.tif 000003
【図３】
0006716860.tif 000004